(57)【要約】【課題】偽造に対して安全であり、かつ偽造された物については容易かつ迅速に同定可能な、少なくとも部分的に合成樹脂から作られた軸受要素を提供する。【解決手段】本願に開示する軸受要素は、少なくとも部分的に合成樹脂あるいは合成樹脂組成物から作られている、合成樹脂を含む軸受要素であって、合成樹脂あるいは合成樹脂組成物は、添加剤特に、分析的に特に視覚的に検出可能なセキュリティ粒子を備える軸受要素である。【選択図】なし【特許請求の範囲】
【請求項１】
少なくとも部分的に合成樹脂あるいは合成樹脂組成物から作られている、合成樹脂を含む軸受要素において、前記合成樹脂あるいは前記合成樹脂組成物は、添加剤特に、分析的に特に視覚的に検出可能なセキュリティ粒子を備えることを特徴とする軸受要素。
【請求項２】
前記添加剤が化学的かつ熱的に安定している、請求項１に記載の軸受要素。
【請求項３】
前記添加剤は、色素特に反射色素を含む、請求項１あるいは２に記載の軸受要素。
【請求項４】
前記添加反射色素が、人間の目に視認不可能な波スペクトル、特に赤外線および／あるいは紫外線の波スペクトルで反射する、請求項３に記載の軸受要素。
【請求項５】
前記添加色素が、ある特定の波長のレーザー光によって検出可能である、レーザー検証可能な色素を含む、請求項３あるいは４に記載の軸受要素。
【請求項６】
前記添加剤は、読取装置、特に光線検出器、好適にはフォトダイオードによって検出可能である、請求項１から５のいずれか１項に記載の軸受要素。
【請求項７】
前記合成樹脂は、熱可塑性樹脂および／あるいは熱硬化性樹脂および／あるいはエラストマーであり、および／あるいは熱可塑性樹脂および／あるいは熱硬化性樹脂および／あるいはエラストマーを含む、請求項１から６のいずれか１項に記載の軸受要素。
【請求項８】
前記軸受要素は、軸受の転動体を受容するための保持器および／あるいは軸受の密封要素および／あるいは滑り軸受の滑り層である、請求項１から７のいずれか１項に記載の軸受要素。
【発明の詳細な説明】
【技術分野】
【０００１】
本願発明は、軸受要素、特に軸受の転動体を受容するための保持器および／あるいは軸受の密封要素および／あるいは滑り軸受の滑り層に関し、軸受要素は少なくとも部分的に、合成樹脂あるいは合成樹脂組成物から作られている。
【背景技術】
【０００２】
世界中の市場で売られている、たとえば軸受のような多くの製品では、当該製品が粗悪な材質で模造されて売られるという危険がある。それによって、大きな経済的損害が生じる。しかしながら、さらにかつはるかに深刻なのは、粗悪な材質を用いることで、特に軸受の場合には人も危険にさらしかねないような安全上のリスクが生じることである。
【０００３】
しかしながら、偽造はしばしば、時間とコストのかかるラボでの分析によってのみ同定できるので、顧客のいる現場であるいは展示の場で偽造を直接かつ迅速に証明するのは不可能である。
【０００４】
従来技術においては、その場合、コードを軸受部品に印刷するかあるいは刻印することによって、偽造に対するより高い安全性を解決することがすでに試みられた。しかしながら、そのようなコードは、偽造業者にも視認でき、同様に偽造できる。代替的に提案されたのは、製造業者の情報を記憶し、読み出すことのできるチップを部材に備えることである。しかしながら、そのようなチップは非常に高価であり、しばしば小さな部材には取り付けることができない。さらにそのようなチップは、特に合成樹脂から成る軸受要素では、製造時の高い合成樹脂の溶融温度によって破壊され、さらに軸受構造体での機械的弱点になりかねない。
【発明の概要】
【発明が解決しようとする課題】
【０００５】
それゆえ本願発明の課題は、偽造に対して安全であり、かつ偽造された物については容易かつ迅速に同定可能な、少なくとも部分的に合成樹脂から作られた軸受要素を提供することである。
【課題を解決するための手段】
【０００６】
この課題は、請求項１に記載の合成樹脂を含む軸受要素によって解決される。
【０００７】
本発明に従えば、少なくとも部分的に合成樹脂あるいは合成樹脂組成物から作られている、合成樹脂を含む軸受要素が提供される。その際本発明は、合成樹脂あるいは合成樹脂組成物は、添加剤特に、分析的に特に視覚的に検出可能なセキュリティ粒子を備えるという考えに基づいている。
【発明を実施するための形態】
【０００８】
そのような添加剤／セキュリティ粒子は、たとえば合成樹脂の配合中に、つまり合成樹脂製造業者での合成中に、あるいは加工中に、つまり軸受要素の成形（たとえば射出成形、押出成形、加熱成形、巻取り）の際に直接的に、添加剤、化合物あるいはマスターバッチとして添加され得、これらはオリジナルの軸受コンポーネントを明確に同定可能にし、かつ製造業者に帰属可能なものにする。そのようなすでに知られているセキュリティ粒子は、分析測定法によって容易に検出することができ、通常問題なく合成樹脂混合物に添加され得る。このセキュリティ粒子は、簡単に検出可能なので、そのように装備された軸受要素は、明確に本物であると証明され得る。
【０００９】
その際、添加剤が化学的かつ熱的に安定していれば、特に有利である。それによって添加剤は、特に、見込まれる合成樹脂の高い溶融温度で使用することができ、成形プロセス前でも合成樹脂に混入できる。
【００１０】
さらなる有利な一実施例に従えば、添加剤は、色素特に、特に容易な視覚的識別を可能にする反射色素を含む。その際、添加反射色素が、人間の目に視認不可能な波スペクトル、特に赤外線および／あるいは紫外線の波スペクトルで反射すれば、特に有利である。そのような色素には、肉眼では識別されないという、さらなる利点がある。それによって、製品の海賊版製造者は、そのような安全対策がなされた製品と、安全対策がされていない製品とを区別できないので、偽造に対するより高い安全性が生じる。
【００１１】
しかも、添加色素が、ある特定の波長のレーザー光によって検出可能である、レーザー検証可能な色素を含む一実施例は有利である。赤外線および／あるいは紫外線の波スペクトルで反射する色素と同様に、これらの色素も肉眼では識別できないが、対応する機器によって簡単に検出できる。このことも、対応して形成された軸受要素にとって、偽造に対する高い安全性を保証する。
【００１２】
さらなる有利な一実施例に従えば、添加剤は、読取装置によって検出可能である。その際、読取装置が、光線検出器たとえば、対応する波長の光に反応するフォトダイオードとして形成されていれば、特に好ましい。その際、読取装置はさらに、反射粒子から反射される波長の光を検知する光線源を備えてよい。それによって、偽造に対する容易な安全性が提供され得る。なぜなら、顧客に軸受要素と一緒に読取装置を配送でき、もしくは顧客が読取装置をストックでき、追加購入した軸受要素が本物かどうかを直接かつ迅速に検査できるからである。
【００１３】
さらなる有利な一実施例に従えば、合成樹脂は熱可塑性樹脂および／あるいは熱硬化性樹脂および／あるいはエラストマーであり、もしくは熱可塑性樹脂および／あるいは熱硬化性樹脂および／あるいはエラストマーを含む。通常軸受要素はこれらの合成樹脂から作られるので、添加剤がまさに、そのような合成樹脂に対し、化学的にも機械的にも熱的にも影響を及ぼさず、その結果製品特性自体が影響を受けなければ、特に有利である。
【００１４】
その際特に好ましいのは、軸受の転動体を受容するための保持器、軸受の密封要素および／あるいは滑り軸受の滑り層を、偽造に対して安全な添加剤を有するそのような合成樹脂から作ることである。
【００１５】
全体としては、本発明に係る軸受要素によって、コストがかからず偽造に対して安全な軸受であって、その製品マークは偽造業者に視認できない軸受を提供できる。その上、分析的に添加剤を容易に検出可能なことによって、特に視覚的に検出可能なことによって、検査の手間をあまりかけることなく、本物であることを容易かつ迅速に証明できる。さらに、本発明に係る軸受要素によって、明確かつ細工不可能な同定を可能にする軸受を提供できる。同定は明確なので、分析結果は法廷でも証拠として認可され得る。